(57)【要約】【課題】寝具への着脱が極めて容易であり位置ずれが抑制される補助寝具を提供する。【解決手段】寝具の繊維を含む上面に敷き置かれる、上面に略等しい形状、寸法を有するシート状補助寝具であって、少なくとも表生地と裏生地とを含み、裏生地が、微起毛されたポリエステルマルチフィラメント織編物から成り、裏生地の表面に渡ってポリエステルマルチフィラメントの単糸の一部が切断されて成る多数の微起毛を有し、シート状補助寝具の裏生地の表面と、綿生地、又はポリ綿生地との摩擦時におけるＪＩＳ  Ｋ７１２５に準じて測定される静摩擦係数がタテ方向、ヨコ方向ともに１．０以上であり、動摩擦係数がタテ方向、ヨコ方向ともに０．８以上であり、シート状補助寝具が裏生地の表面を介して上面に敷き置かれることにより、シート状補助寝具の上面に対する位置ずれが抑制される。【選択図】図１Ａ
0003217102.tif 000002
【実用新案登録請求の範囲】
【請求項１】
寝具の繊維を含む上面に敷き置かれる、前記上面に略等しい形状、寸法を有するシート状補助寝具であって、
少なくとも表生地と裏生地とを含み、
前記裏生地が、微起毛されたポリエステルマルチフィラメント織編物から成り、前記裏生地の表面に渡ってポリエステルマルチフィラメントの単糸の一部が切断されて成る多数の微起毛を有し、
前記シート状補助寝具の前記裏生地の表面と、綿生地、又はポリ綿生地との摩擦時におけるＪＩＳ  Ｋ７１２５に準じて測定される静摩擦係数がタテ方向、ヨコ方向ともに１．０以上であり、動摩擦係数がタテ方向、ヨコ方向ともに０．８以上であり、
前記シート状補助寝具が前記裏生地の表面を介して前記上面に敷き置かれることにより、前記シート状補助寝具の前記上面に対する位置ずれが抑制される、シート状補助寝具。
【請求項２】
寝具の繊維を含む上面に敷き置かれる、前記上面に略等しい形状、寸法を有するシート状補助寝具であって、
少なくとも表生地と裏生地とを含み、
前記裏生地が、微起毛されたポリエステルマルチフィラメント織編物から成り、前記裏生地の表面に渡ってポリエステルマルチフィラメントの単糸の一部が切断されて成る多数の微起毛を有し、該多数の微起毛が不均一な長さを有し、
前記シート状補助寝具が前記裏生地の表面を介して前記上面に重ね置かれることにより、前記シート状補助寝具の前記上面に対する位置ずれが抑制される、シート状補助寝具。
【請求項３】
寝具の繊維を含む対象面を被覆するための、前記対象面に略等しい形状、寸法を有する袋状補助寝具であって、
少なくとも表生地と内側生地とを含み、
前記内側生地が、微起毛されたポリエステルマルチフィラメント織編物から成り、前記内側生地の表面に渡ってポリエステルマルチフィラメントの単糸の一部が切断されて成る多数の微起毛を有し、
前記内側生地の表面と、綿生地、又はポリ綿生地との摩擦時におけるＪＩＳ  Ｐ８１４７（傾斜法）に準拠して測定される静摩擦係数がタテ方向、ヨコ方向ともに０．７以上であり、
前記袋状補助寝具が前記裏生地の表面を介して前記対象面を被覆することにより、前記袋状補助寝具の前記対象面に対する位置ずれが抑制される、袋状補助寝具。
【請求項４】
寝具の繊維を含む対象面を被覆するための、前記対象面に略等しい形状、寸法を有する袋状補助寝具であって、
少なくとも表生地と内側生地とを含み、
前記内側生地が、微起毛されたポリエステルマルチフィラメント織編物から成り、前記内側生地の表面に渡ってポリエステルマルチフィラメントの単糸の一部が切断されて成る多数の微起毛を有し、該多数の微起毛が不均一な長さを有し、
前記袋状補助寝具が前記裏生地の表面全体を介して前記対象面を被覆することにより、前記袋状補助寝具の前記対象面に対する位置ずれが抑制される、袋状補助寝具。
【考案の詳細な説明】
【技術分野】
【０００１】
本考案は、寝具とともに使用するための補助寝具に関する。特に、極めて容易に着脱可能に構成され、取り扱い性が向上した補助寝具に関する。
【背景技術】
【０００２】
敷き布団やベッドマットの上に敷かれる、位置ずれを防止するために四隅にゴムバンドを設けた敷きパッドやベッドパッドが知られている。このような敷きパッド、ベッドパッドは、ゴムバンドのある四隅付近の位置ずれは防止されるが、ゴムバンドから離れた中央付近では位置ずれが生じやすい。また、取付け、取外しの際に敷布団やベッドマットを持ち上げたり移動させたりする作業が煩雑である。
【０００３】
従来、ベッドメーキング時にベッドパッドがずれることがなく着脱容易となるように、マットレスの上面に敷設されるベッドパッドが、面ファスナー等の係着部材を介してマットレスの所定位置に固定される取付構造が提案された（実用新案登録第３０４２７６０号公報：先行文献１）。
【０００４】
装着や取外しが簡単でしかも破損等が起り難い枕カバーを得るために、枕の表面とほぼ同一の大きさを有する布の裏面に軟質ゴムや発泡ゴム製等の大きな摩擦係数を有する滑り止め部材を固着することが提案された（実用新案登録第３０５２１６９号公報：先行文献２）。
【０００５】
簡単に交換ができて滑り止め効果に優れるように、表生地と裏生地と、表生地と裏生地とに挟まれた中綿とを有し、裏生地の敷き布団やベッドマットとの接触面に、ポリエステル樹脂が点在して配され、接触面の単位面積あたりのポリエステル樹脂が占める面積の割合が５〜２５％である敷きパッドが提案された（実用新案登録第３２０７４７３号公報：先行文献３）。
【０００６】
ずれるのを防止するために、エンボス加工による滑り止め部を有する裏地を用いた敷きパッドが提案された（実用新案登録第３２０８５７４号公報：先行文献４）。
【０００７】
ベッドパッドとマットレス、ベッドパッドとシーツのずれを簡単な構成により防止できるベッドパッドとして、吸湿性を有する布地から成り、マットレスとシーツとの間に敷かれるベッドパッドにおいて、滑り止め機能を有する素材から成るずれ止め部を、両面に所定間隔にて点在させて設けることが提案された（特開２００４−５７３７７公報：先行文献５）。
【０００８】
寝返りを打ったときのずれを抑制できると共に、着脱を容易に行うことができ、長期間快適に使用することができる敷き寝具として、身体の荷重を受ける布製の上面部と、上面部の反対側に位置する布製の下面部と、下面部に固定されており、下面部から突出して設けられた凸状のゴム部とを備えるベッドパッドが提案された（特開２０１７−１７６４７３公報：先行文献６）。
【０００９】
布帛同士の滑りが起こりにくいように、熱捲縮発現指数が１．５以上であり、かつ、熱処理後捲縮度数積が１４０以上である熱捲縮発現性繊維を１０ｗｔ％以上含有した布帛であり、該布帛の片面又は両面の表面において、該熱捲縮発現性繊維が毛羽立っており、該毛羽が捲縮しており、毛羽面同士の最大摩擦係数が０．７以上、かつ、定常摩擦係数が０．５以上である抗滑り性布帛、及びそれを用いた寝装具が提案された（特開２００３−０６４５５６公報：先行文献７）。
【００１０】
滑りやすくズレ易い蒲団と蒲団カバーとを、安定した被覆状態に維持するように、布体を、敷蒲団及び蒲団カバーの生地よりも表面が起毛するように、木綿糸等の紡績糸で織り上げられた平織物によって形成し、敷蒲団の一方面部の全面を覆う寸法形状になるように略長方形のシート状に形成し、布体を、敷蒲団と、その上面部及び下面部の両面を被覆する袋状に形成された蒲団カバーとの間に装着することが提案された（実用新案登録第３０９１７５７号公報：先行文献８）。
【００１１】
布団カバー３０において、中布に、円板状や帯状に並べた起毛材等から成る複数の滑り止め部を付設することが提案された（特開２００８−１８３０７２公報：先行文献９）。
【先行技術文献】
【特許文献】
【００１２】
【特許文献１】実用新案登録第３０４２７６０号公報
【特許文献２】実用新案登録第３０５２１６９号公報
【特許文献３】実用新案登録第３２０７４７３号公報
【特許文献４】実用新案登録第３２０８５７４号公報
【特許文献５】特開２００４−５７３７７公報
【特許文献６】特開２０１７−１７６４７３公報
【特許文献７】特開２００３−０６４５５６公報
【特許文献８】実用新案登録第３０９１７５７号公報
【特許文献９】特開２００８−１８３０７２公報
【考案の概要】
【考案が解決しようとする課題】
【００１３】
着脱容易となるように寝具と補助寝具との双方に係着部材を設けることは煩雑であった。樹脂やゴムから成る滑り止め部材をパッドやカバーに固着すると、パッドやカバーを構成する布本来の軽さやソフト性、洗濯し易さが損なわれやすかった。また、エンボス加工を施すだけでは、ずれ防止機能が十分でなかった。
【００１４】
毛羽や起毛を滑り止めに利用する補助寝具は、十分な滑り止め機能を発揮するように構成されていなかった。寝具と補助寝具とを所定の布帛で構成することや別途取付部材を要し、煩雑さが解消されなかった。
【００１５】
上記に鑑みて本考案は、市販の寝具等に対して幅広く使用することができ、取付け、取外しが極めて容易であり、寝具に対する位置ずれが十分に抑制される補助寝具を提供することを目的とする。
【課題を解決するための手段】
【００１６】
上記課題を解決する本考案の一つの実施形態は、寝具の繊維を含む上面に敷き置かれる、上面に略等しい形状、寸法を有するシート状補助寝具であって、少なくとも表生地と裏生地とを含み、裏生地が、微起毛されたポリエステルマルチフィラメント織編物から成り、裏生地の表面に渡ってポリエステルマルチフィラメントの単糸の一部が切断されて成る多数の微起毛を有し、シート状補助寝具の裏生地の表面と、綿生地、又はポリ綿生地との摩擦時におけるＪＩＳ  Ｋ７１２５に準じて測定される静摩擦係数がタテ方向、ヨコ方向ともに１．０以上であり、動摩擦係数がタテ方向、ヨコ方向ともに０．８以上であり、シート状補助寝具が前記裏生地の表面を介して前記上面に敷き置かれることにより、シート状補助寝具の前記上面に対する位置ずれが抑制されることを特徴とする。
【００１７】
本考案によれば、シート状補助寝具の裏生地が、フィラメント（長繊維）の集合体を起毛した微起毛生地から成るので、短繊維と比較してより長い起毛繊維が得られやすい。このような裏生地を介して補助寝具を敷き置くとタテ方向、ヨコ方向ともに十分にずれを防ぐことができ、従って敷き置くだけで補助寝具の装着を完了することができる。ポリエステルマルチフィラメント織編物を用いることで、使用や洗濯等による起毛部の糸切れや毛羽落ちしにくく、滑り止め効果を長く保つことができる。
【００１８】
本考案の他の実施形態は、寝具の繊維を含む上面に敷き置かれる、上面に略等しい形状、寸法を有するシート状補助寝具であって、少なくとも表生地と裏生地とを含み、裏生地が、微起毛されたポリエステルマルチフィラメント織編物から成り、裏生地の表面に渡ってポリエステルマルチフィラメントの単糸の一部が切断されて成る多数の微起毛を有し、該多数の微起毛が不均一な長さを有し、シート状補助寝具が裏生地の表面を介して上面に敷き置かれることにより、シート状補助寝具の上面に対する位置ずれが抑制されることを特徴とする。
【００１９】
このように、裏生地の表面を、より長い起毛繊維と比較的短い起毛繊維とを備えるランダムな微起毛表面とすることで、十分な滑り止め効果を発揮するものと考えられる。
【００２０】
本考案のもう一つの実施形態は、寝具の繊維を含む対象面を被覆するための、対象面に略等しい形状、寸法を有する袋状補助寝具であって、少なくとも表生地と内側生地とを含み、内側生地が、微起毛されたポリエステルマルチフィラメント織編物から成り、内側生地の表面に渡ってポリエステルマルチフィラメントの単糸の一部が切断されて成る多数の微起毛を有し、内側生地の表面と、綿生地、又はポリ綿生地との摩擦時におけるＪＩＳ  Ｐ８１４７（傾斜法）に準拠して測定される静摩擦係数がタテ方向、ヨコ方向ともに０．７以上であり、袋状補助寝具が裏生地の表面を介して対象面を被覆することにより、袋状補助寝具の対象面に対する位置ずれが抑制されることを特徴とする。
【００２１】
本考案のさらにもう一つの実施形態は、寝具の繊維を含む対象面を被覆するための、対象面に略等しい形状、寸法を有する袋状補助寝具であって、少なくとも表生地と内側生地とを含み、内側生地が、微起毛されたポリエステルマルチフィラメント織編物から成り、内側生地の表面に渡ってポリエステルマルチフィラメントの単糸の一部が切断されて成る多数の微起毛を有し、該多数の微起毛が不均一な長さを有し、袋状補助寝具が裏生地の表面全体を介して対象面を被覆することにより、袋状補助寝具の対象面に対する位置ずれが抑制されることを特徴とする。
【考案の効果】
【００２２】
本考案に係るシート状補助寝具、袋状補助寝具によれば、従来のような係止部材を要することなく、敷き置いたり覆ったりするだけで十分な滑り止め効果を有し、取付け、取外しが極めて容易になる。
【図面の簡単な説明】
【００２３】
【図１Ａ】図１Ａは本考案の一つの実施形態に係る敷きパッドの表側、裏側の模式的な平面図である。
【図１Ｂ】図１Ｂは本考案の一つの実施形態に係る敷きパッドの部分断面図である。
【図１Ｃ】図１Ｃは本考案の一つの実施形態に係る敷きパッドのキルティングを模式的に示す。
【図２Ａ】図２Ａは本考案の一つの実施形態に係る微起毛生地の表面のデジタルマイクロスコープによる拡大画像（５０倍）である。
【図２Ｂ】図２Ｂは本考案の一つの実施形態に係る微起毛生地の表面のデジタルマイクロスコープによる拡大画像（１００倍）である。
【図３】図３は、実施例の微起毛生地と比較例の不起毛生地の静摩擦係数（ＪＩＳ  Ｐ８１４６）を示す。
【図４】図４は、実施例の微起毛生地を用いた敷きパッド製品の試験片と比較例の不起毛生地製品を用いた敷きパッド製品の静摩擦係数、動摩擦係数（ＪＩＳ  Ｋ７１２５準用）を示す。
【図５】図５は本考案の一つの実施形態に係る枕パッドの表側、裏側の模式的な平面図である。
【図６】図６（ａ）は本考案の一つの実施形態に係る掛けカバーの模式的な平面図であり、図６（ｂ）は掛けカバーの模式的な断面端面図である。
【図７】図７は本考案の一つの実施形態に係る衿カバーの模式的な平面図である。
【考案を実施するための形態】
【００２４】
以下、添付図面を参照して本考案の好ましい実施例が説明される。図面は説明のために簡略化され、尺度も必ずしも一致しない。
【００２５】
図１Ａ、図１Ｂ、及び図１Ｃに本考案に係る一つの実施形態のシート状補助寝具１が模式的に示される。シート状補助寝具１は、敷き布団、マットレス、シーツとともに使用される敷きパッド、ベッドパッド等である。敷きパッド、ベッドパッド等の形状、寸法は、敷き布団、マットレス、シーツ等の上面（図示せず）と略等しい。例えば、概して、シングルのマットレスの上面は略長方形状であり、横９０〜１００ｃｍ×縦１９５〜２０５ｃｍ程度のサイズを有し得る。マットレスをシーツで包んだ上（又は、マットレスの上に直接）に敷かれる敷きパッドは、概して、四隅を丸めた長方形状であり、横９０〜１００ｃｍ×縦２００〜２１０ｃｍ程度のサイズを有し得る。このように使用目的等に応じて一般的に考えられる範囲の差を有するときに、本明細書等において「略等しい」という場合がある。
【００２６】
以下では例示的に、敷きパッドであるシート状補助寝具１について説明される。図１Ａを参照して、敷きパッド１は、表生地１０と裏生地２０とを有し、これらを積層した外周に沿って縁布３０を有する。図１Ｂを参照して、さらに、表生地１０と裏生地２０とに挟まれる中綿等の中芯４０を有する。図１Ｃを参照して、表生地１０、中芯４０、及び裏生地２０は、キルティング５０によって互いに連結され得る。
【００２７】
キルティング５０のキルト縫製ラインは敷きパッド１の表生地１０から裏生地２０に渡る。後述する裏生地２０が十分にマットレス等に接触し滑り止め機能を発揮するように、キルト縫製ラインの形状、間隔等は適切に決定されてよい。好適にキルト縫製ラインは、図１Ｃに模式的に示されるように互いに平行な波状ラインであり、その間隔は１〜５インチの範囲にあってよく、例示的に、２インチ（５．０８ｃｍ）である。
【００２８】
表生地１０としては、特に限定されず、敷きパッド１を使用する時期、地域等に応じて、綿やポリエステル繊維を中心とした布帛生地、シンカーパイル、シール織、パイル織等を使用することができる。
【００２９】
中芯４０も特に限定されず、求められるクッション性、保温性、汗の吸収性等に応じて、ポリエステル、綿等から適宜選択することができる。中芯４０は、成形性の観点から、打綿した中綿に対して樹脂を塗布して成形したものであってもよい。
【００３０】
裏生地２０は、本考案の目的に従って、その表面全体に多数の微起毛１００を有する（図１Ａ）。裏生地２０は、敷きパッド１を敷くときに裏生地２０の表面がマットレス、シーツ等の繊維素材の上面（図示せず）を覆うことにより就寝中、上面に対する敷きパッド１の位置ずれを抑制するように構成される。このため、敷きパッド１は好適に、マットレス等の上に重ね置くだけで装着が完了するものである。
【００３１】
従来、極細繊維を用いたポリエステル生地の表面にサンドペーパー等の起毛部材を接触させ、生地の表面における単糸（単繊維）の一部を切断して起毛させ、起毛された極細繊維を短く刈り揃えて桃の皮調の表面を得ることが知られている。このように得られた桃の皮調の生地は、衣料品の表地として使用される場合がある。
【００３２】
本考案に係る考案者は、ポリエステルマルチフィラメント生地の表面を起毛させた微起毛生地を裏生地２０に用いることにより、繊維を含む表面に対して十分な滑り止め効果を持つ敷きパッド１を構成し得ることを見出した。ポリエステル生地を構成するフィラメント糸は、数十本の単糸（単繊維）を撚り合わせて1本の糸（マルチフィラメント）としたものである。
【００３３】
実施例１のポリエステルマルチフィラメント織物の微起毛生地を得るために、生機のポリエステルマルチフィラメント織物（糸番手：縦７５Ｄ、横１５０Ｄ、密度：縦１００本／インチ、横５０本／インチ、目付：７０ｇ／ｍ２）が準備された。該織物について巾出しを行い、起毛前工程として糊抜き、油抜きを行った後、１０００番のサンドペーパーによる起毛工程が実施された。起毛工程は、サンドロール８本、サンドペーパー表面回転速度３６ｍ／ｍｉｎ、生地送り（ロール）速度６ｍ／ｍｉｎ、接圧０．３〜０．５ＭＰａで生地をタテ糸方向へ送る工程を１〜２回通して行われた。その後再巾出し、糊付けを行い、本考案に係る裏生地２０のためのポリエステルマルチフィラメント織物の微起毛生地が得られた。
【００３４】
上記のような起毛工程によれば、調整された速度や通しの回数の少なさ等により織物表面の繊維は均一に起毛されない。本考案の目的に従って、起毛工程の後に不均一な長さの微起毛を短く刈り揃える工程も行われない。従って形成された生地表面の多数の微起毛１００は、より長いものから比較的短いものを含み、不均一な長さを有する。
【００３５】
図２Ａ、図２Ｂに、上記実施例１のポリエステルマルチフィラメント織物表面を起毛させた微起毛表面のデジタルマイクロスコープ（ＫＥＹＥＮＣＥ社製、ＶＨＸ−Ｓ１５Ｈ）による拡大画像（図２Ａ：５０倍、図２Ｂ：１００倍）が示される。微起毛がよく確認できるように、二つに折り曲げた織物の山の部分の側面が撮像されている。これらの微起毛はそれぞれランダムな長さを有する。このように本考案に係る微起毛生地の多数の微起毛１００が不均一な長さを有し、表面に微細なムラを持つことで、繊維素材の表面に対して向上された抗滑り性を持つものと考えられる。
【００３６】
上記のようなポリエステルマルチフィラメント織物の微起毛生地を裏生地２０に用いることで、寝具としての快適性を保ちながら十分な抗滑り性を有し、繊維の脱落や抜けが起こりにくく摩擦耐久性にも優れた敷きパッド１とすることができる。
【００３７】
生機はポリエステルマルチフィラメント織物に限定されなくてもよい。本考案の目的に適合する限り、ポリエステル系繊維、ポリアミド系繊維、ポリオレフィン系繊維、その他の合成繊維から選択される少なくとも一種類の素材から成る合成繊維フィラメント織編物が使用されてよい。織編物は、織物、編物、及び織物部分と編物部分が組み合わされて構成されるものが含まれてよい。織物の組織は、平、綾、朱子、及びこれら三原組織の変化組織等を採用することができる。編物は、トリコット地、ラッセル地等の経編地、及び丸編地等を用いることができ、これらに限定されない。
【００３８】
図３を参照し、本考案に従って得られた実施例１〜５の微起毛生地（ポリエステル１００パーセントタフタ）、及び比較例Ａの起毛されていない通常生地（ポリエステル１００パーセントタフタ）のタテ方向（タテ糸に沿った方向）及びヨコ方向（ヨコ糸に沿った方向）について、それぞれ傾斜板に取り付けたガラス板、綿１００％生地（糸番手：縦４０Ｄ、横４０Ｄ、密度：縦６８本／インチ、横６０本／インチ、Ｒｉｔｚ Ｔｅｘｔｉｌｅ ｍｉｌｌｓ社製）（タテ方向）、ポリエステル８０％／綿２０％生地（糸番手：縦４５Ｄ、横４５Ｄ、密度：縦７２本／インチ、横５０本／インチ、ＳＳ Ｔｅｘｔｉｌｅ社製）（タテ方向）との間の静摩擦係数を、ＪＩＳ  Ｐ８１４７（傾斜法）に準拠し、（株）東洋精機製作所製、摩擦係数測定器（製造番号  Ａ−２１１９０３２０３）により測定した。測定は、一般財団法人カケンテストセンターに外注分析を依頼し、各数値等は、同センターによる２０１７年１１月２９日発行の品質検査報告書に基づく。
【００３９】
実施例の微起毛生地１〜５、及び比較例の生地Ａの詳細は以下の表１のとおりである。
【００４０】
【表１】
0003217102.tif 000003
【００４１】
図３によく示されているように、実施例１〜５の生地は、ガラス板との間では静摩擦係数が約０．２〜０．３と小さかったが、綿生地、ポリ綿生地に対しては、約０．７〜１．３と、タテ方向、ヨコ方向ともに大幅に高くなった。比較例Ａの不起毛生地は、ガラス板との間の静摩擦係数は０．２程度であり、綿生地、ポリ綿生地に対する静摩擦係数も０．３〜０．６程度と低かった。
【００４２】
さらに、図４を参照し、実施例１、２の生地を裏生地とし、表生地、中綿と重ねキルティングにより連結した実施例の製品の敷きパッド１’、２’（試料サイズ：約６３ｍｍ×約１１０ｍｍ）、及び、比較例Ａの生地を裏生地とし、表生地、中綿と重ねキルティングにより連結した比較例の製品の敷きパッドＡ’（試料サイズ：同上）のタテ方向及びヨコ方向について、それぞれガラス板、上記綿１００％生地（タテ方向、試料サイズ：１２０ｍｍ×２５０ｍｍ）、上記ポリエステル８０％／綿２０％生地（タテ方向、試料サイズ：同上）との間の静摩擦係数及び動摩擦係数を、ＪＩＳ  Ｋ７１２５（プラスチック−フィルム及びシート−摩擦係数試験方法）に準じて測定した。測定は、温度２０±２℃、相対湿度６５±４％の試験室において、測定用引張試験機（ＯＲＩＥＮＴＥＣ社製インストロン型引張試験機、型番：ＲＴＣ−１３１０Ａ）及び試験用治具（ＯＲＩＥＮＴＥＣ社製摩擦係数試験治具５０Ｎ、型式：ＡＪ−ＰＺ２−５０Ｎ）を使用して荷重２００±２ｇ、水平方向引張速度１００ｍｍ／ｍｉｎの条件で行われた。測定は、一般財団法人カケンテストセンターに外注分析を依頼し、各数値等は、同センターによる２０１７年１２月１９日発行の品質検査報告書に基づく。
【００４３】
それぞれの試料のガラス板との動摩擦係数は０．３０〜０．４４であり、静摩擦係数は小さすぎるなどほぼ測定不能であった。このため、図４は、綿生地、ポリ綿生地との静摩擦係数、動摩擦係数のみを示す。
【００４４】
図４を参照して、実施例の敷きパッド１’、２’の綿生地、ポリ綿生地に対する静摩擦係数は約１．０〜１．２であり、動摩擦係数は約０．８〜１．０であり、タテ方向、ヨコ方向ともに十分に高く位置ずれを防止し得るものだった。比較例の敷きパッドＡ’の綿生地、ポリ綿生地に対する静摩擦係数は約０．６〜０．８であり、動摩擦係数は約０．５〜０．６と位置ずれしやすいものだった。
【００４５】
さらに、実施例の敷きパッド１’を用いて試験者が実際に就寝し、位置ずれが起きるかどうかのテストを行った。テストは、１０人の試験者がそれぞれマットレスに敷きパッド１’を係止することなく載置し、７日間就寝時に使用し、体感、目視に基づいて「ずれた」場合を０ポイント、「ずれなかった」場合を１ポイントとして集計した。結果は、６２ポイント（最大７０ポイント）であり、９割近く「ずれなかった」となり、使用に十分に耐えることが確認された。
【００４６】
なお、本考案に係る敷きパッド１は、従来のように、裏面の四隅等にゴム等の取付部材を有してもよい。そのようにすることで、さらにずれないようにすることができる。
【００４７】
本考案に係るシート状補助寝具１は、敷きパッドやベッドパッドに限定されなくてよい。図５に本考案に係る実施例のシート状補助寝具である枕パッド２が模式的に示される。枕パッド２は、敷きパッド１と同様に、表生地１１、裏生地２１を有し、これらを積層した外縁に縁布３１を有し一体化されている。裏生地２１は、表面に多数の微起毛１００を有し、このことにより、枕パッド２の裏生地２１の全面が、枕の上面（図示せず）に置かれたときに滑りにくくなる。経験的に、枕パッドは敷きパッドよりも位置ずれしやすいため、枕パッド２は裏面にゴム等の係止部材６０を備えてよく、これを枕に架け渡すことで、より有効に位置ずれを防止することができる。枕パッド２は、敷きパッド１と同様に図示しない中芯を有し、表生地、裏生地、中芯等がキルティングにより互いに連結されてよい。
【００４８】
図６に、本考案に係る他の実施形態の袋状補助寝具である掛けカバー３が模式的に示される。図６（ａ）の矢印方向に見た断面端面図（図６（ｂ））に示されるように、掛けカバー３は外側の二層の表生地１２、１２と内側の二層の内側生地２２、２２との計四層から成り、内側生地２２、２２の間に掛け布団が挿入されるように袋状に形成される。平面視略矩形の掛けカバー３の一辺は、掛け布団を挿入するためにファスナー等により開閉自在な開口部７０に形成され、他の三辺の縁部分で四層が縫製（図示せず）等により一体的に連結される。内側生地２２、２２は本考案に係る微起毛生地から成り、多数の微起毛１００により、掛け布団がずれることを防ぐことができる。従来の掛けカバーは、使用中のずれを防ぐために、掛けカバー、掛け布団の四隅や四辺にそれぞれ設けられたヒモ等の係止部材により互いに係止するものであり、装着の作業が煩雑だった。本考案に係る掛けカバー３はそのような係止部材を有しなくてよい。掛けカバー３によれば、掛け布団を中に挿入するだけで使用中ずれにくく、従って係止作業なしで装着を完了することができる。
【００４９】
図７に、本考案に係る他の実施形態の袋状補助寝具である衿カバー４が模式的に示される。衿カバー４は、掛け布団の就寝者の顔側になる部分を特にカバーするために使用される。衿カバー４も上記の掛けカバー３と同様に、外側の二層の表生地１３、１３と内側の二層の内側生地２３、２３との計四層から成り（図示せず）、内側生地２３、２３の間に掛け布団の上部（顔側）が挿入されるように袋状に形成される。平面視略矩形の衿カバー４の上部（顔側）の二隅は開口して掛け布団の角が出せるようになっていてよく、下部はゴムギャザー等からなる開口部８０に形成されてよい。内側生地２３、２３は多数の微起毛１００を有する微起毛生地であり、このことにより掛け布団の一部を被覆するときにずれにくい衿カバーとすることができる。
【００５０】
上記のとおり、本考案に係るシート状補助寝具、袋状補助寝具は、裏生地又は内側生地の微起毛１００により、被覆する寝具の表面に対して高い抗滑り性を有し、係止部材として機能し、このため従来のような係止部材を要さず、着脱が極めて容易である。少ない起毛工程により本考案の微起毛生地を製造することができるため、コストも抑制される。寝具に適した軽さ、ソフト性も損なうことなく、実用性、汎用性に優れた補助寝具とすることができる。
【００５１】
添付図面を参照して本考案の好ましい実施態様が説明されたが、本考案は上述した実施態様に限られることなく、実用新案登録請求の範囲の記載から把握される技術的範囲において種々の態様に変更可能である。
【符号の説明】
【００５２】
１          敷きパッド
１０          表生地
２０          裏生地
３０          縁布
１００        微起毛
【図１Ａ】
0003217102.tif 000004
【図１Ｂ】
0003217102.tif 000005
【図１Ｃ】
0003217102.tif 000006
【図２Ａ】
0003217102.tif 000007
【図２Ｂ】
0003217102.tif 000008
【図３】
0003217102.tif 000009
【図４】
0003217102.tif 000010
【図５】
0003217102.tif 000011
【図６】
0003217102.tif 000012
【図７】
0003217102.tif 000013
【手続補正書】
【提出日】平成30年5月28日(2018.5.28)
【手続補正１】
【補正対象書類名】実用新案登録請求の範囲
【補正対象項目名】請求項３
【補正方法】変更
【補正の内容】
【請求項３】
寝具の繊維を含む対象面を被覆するための、前記対象面に略等しい形状、寸法を有する袋状補助寝具であって、
少なくとも表生地と内側生地とを含み、
前記内側生地が、微起毛されたポリエステルマルチフィラメント織編物から成り、前記内側生地の表面に渡ってポリエステルマルチフィラメントの単糸の一部が切断されて成る多数の微起毛を有し、
前記内側生地の表面と、綿生地、又はポリ綿生地との摩擦時におけるＪＩＳ  Ｐ８１４７（傾斜法）に準拠して測定される静摩擦係数がタテ方向、ヨコ方向ともに０．７以上であり、
前記袋状補助寝具が前記内側生地の表面を介して前記対象面を被覆することにより、前記袋状補助寝具の前記対象面に対する位置ずれが抑制される、袋状補助寝具。
【手続補正２】
【補正対象書類名】実用新案登録請求の範囲
【補正対象項目名】請求項４
【補正方法】変更
【補正の内容】
【請求項４】
寝具の繊維を含む対象面を被覆するための、前記対象面に略等しい形状、寸法を有する袋状補助寝具であって、
少なくとも表生地と内側生地とを含み、
前記内側生地が、微起毛されたポリエステルマルチフィラメント織編物から成り、前記内側生地の表面に渡ってポリエステルマルチフィラメントの単糸の一部が切断されて成る多数の微起毛を有し、該多数の微起毛が不均一な長さを有し、
前記袋状補助寝具が前記内側生地の表面全体を介して前記対象面を被覆することにより、前記袋状補助寝具の前記対象面に対する位置ずれが抑制される、袋状補助寝具。